(57)【要約】      （修正有）【課題】用紙の重送と用紙の破損を防止する給紙装置を提供する。【解決手段】給紙装置１００は、事務装置内に設置し、紙２００を給送するのに用い、第一伝動モジュール、ピックローラユニット１０と紙分離ローラユニット２０を含む。ピックローラユニットは、ピックローラ軸１１と少なくとも一つのピックローラ１２を含み、ピックローラはピックローラ軸に固定し、ピックローラ軸は事務装置上に回転枢設し、第一伝動モジュールと連接する。第一伝動モジュールはピックローラ軸を時計回り、もしくは時計逆回りに回転させる。紙分離ローラユニットは事務装置上に回転枢設し、少なくとも一つの紙分離ローラ２１を含む。紙分離ローラの外表面とピックローラの外表面は相対当接し、ピックローラ軸が時計回り、もしくは時計逆回りに回転すると、紙分離ローラは反対方向に回転する。【選択図】図７
0003214519.tif 000002
【実用新案登録請求の範囲】
【請求項１】
事務装置内に設置し、紙を給送するのに用いる給紙装置において、
該事務装置内に設置する第一伝動モジュールと、
ピックローラ軸と少なくとも一ピックローラを含み、ピックローラはピックローラ軸に固定し、ピックローラ軸は事務装置上に回転枢設し、第一伝動モジュールと連接し、第一伝動モジュールはピックローラ軸を時計回り、もしくは時計逆回りに回転させるピックローラユニットと、
事務装置に回転枢設し、少なくとも一紙分離ローラを含み、紙分離ローラの外表面とピックローラはピックローラの外表面は相対当接し、ピックローラ軸が時計回り、もしくは時計逆回りに回転すると、紙分離ローラはピックローラに対応して反対方向に回転するもので、そのうち、第一伝動モジュールがピックローラ軸とピックローラを時計逆回りに回転させ、用紙をピックして前向きに給送した時、紙分離ローラは時計回りに回転し、ピックローラと紙分離ローラが合同で用紙とその他の用紙を分離し帯同用紙を前向きに給送し、用紙の末端がピックローラと紙分離ローラから離れると、第一伝動モジュールは予定時間内、ピックローラを時計回りに回転し、同時に紙分離ローラが時計逆回りに回転し、それによって用紙が給送する時に帯同したその他用紙を回転し、ピックローラ外表面と紙分離ローラ外表面の相互に当たるエリアまで回転して退出させる紙分離ローラユニットを含むことを特徴とする給紙装置。
【請求項２】
前記給紙装置は、更に第二伝動モジュールを含み、紙分離ローラユニットと連接し、紙分離ローラユニットを時計回り、もしくは時計逆回りに回転させるのに用いることを特徴とする請求項１記載の給紙装置。
【考案の詳細な説明】
【技術分野】
【０００１】
本考案は、給紙装置に関するもので、用紙の重送と用紙の破損を防止する給紙装置である。
【背景技術】
【０００２】
図１と図２に示すとおり、公知の給紙装置１００’は、伝動モジュール（図未提示）、ピックローラユニット１０’、方向制限器（図未提示）と紙分離ローラユニット２０’を含む。該ピックローラユニット１０’はピックローラ軸１１’とピックローラ軸１１’に固定するピックローラ１２’を含み、ピックローラ軸１１’は伝動モジュールと連接し、伝動モジュールがピックローラ軸１１’を時計回り、もしくは時計逆回りに回転させる。該方向制限器は、ピックローラ軸１１’に固定してピックローラ軸１１’の回転方向を制限するのに用い、ピックローラ軸１１’が用紙２００’を給送方向Ｆ’だけに回転させる。公知の給紙装置１００’の伝動モジュールはピックローラ軸１１’を時計逆回りだけに回転させるが、伝動モジュールがピックローラ軸１１’を時計回りに回転させると、方向制限器がピックローラ軸１１’を制限し、ピックローラ軸１１’を回転させなくする。該紙分離ローラユニット２０’は、紙分離ローラ２１’を含み、紙分離ローラ２１’の外表面は、ピックローラ１２’の外表面に相対して当接する。伝動モジュールがピックローラ軸１１’とピックローラ１２’を時計逆回りに回転し、帯同用紙２００’を内部に給送すると、紙分離ローラ２１’を反対（時計回り）方向に回転させ、そして給送した用紙２００’に対して紙を分離し、その分離完了した用紙２００’を前向きに給送させる。
【０００３】
しかしながら、図３に示すとおり、ピックローラ１２’は、給送の過程において、伝動モジュールが動かすピックローラ軸１１’の回転速度は用紙２００’給送の異なる進行に基づき変化する。一枚目用紙Ｐ１が給送された後、二枚目用紙Ｐ２及び以降の用紙２００’は一枚目用紙Ｐ１に帯同され、紙分離ローラ２１’の紙分離エリア２２’（紙分離ローラ２１’外表面のピックローラ１２’外表面と相互に当接するエリア）の給送端に堆積しやすくなり、紙ピックと紙給送の反復過程において、二枚目用紙Ｐ２及び以降の用紙２００’はピックローラ１２’の加減速、もしくは給送した用紙２００’が給送される瞬間の速度が変化してゆっくりと前に進む事によって、二枚目用紙Ｐ２及び以降の用紙２００’がピックローラ１２’外表面と紙分離ローラ２１’外表面の相互に当接するエリアに進入することで最終的に用紙の重送もしくは用紙が給送時に破損する。
【考案の概要】
【考案が解決しようとする課題】
【０００４】
本考案の目的は、用紙の重送と用紙の破損を有効に防止する給紙装置を提供することにある。
【課題を解決するための手段】
【０００５】
上述の目的を達成するため、本考案の給紙装置は、事務装置内に設置し、紙を給送するのに用い、第一伝動モジュール、ピックローラユニットと紙分離ローラユニットを含む。該第一伝動モジュールは該事務装置内に設置する。該ピックローラユニットは、ピックローラ軸と少なくとも一ピックローラを含み、ピックローラはピックローラ軸に固定し、ピックローラ軸は事務装置上に回転枢設し、第一伝動モジュールと連接する。第一伝動モジュールはピックローラ軸を時計回り、もしくは時計逆回りに回転させる。該紙分離ローラユニットは事務装置上に回転枢設し、少なくとも一紙分離ローラを含む。紙分離ローラの外表面とピックローラはピックローラの外表面に相対当接し、ピックローラ軸が時計回り、もしくは時計逆回りに回転すると、紙分離ローラはピックローラに対応して反対方向に回転する。そのうち、第一伝動モジュールがピックローラ軸とピックローラを時計逆回りに回転させ、用紙をピックして前向きに給送した時、紙分離ローラは時計回りに回転し、ピックローラと紙分離ローラが合同で用紙とその他の用紙を分離し、帯同用紙を前向きに給送する。用紙の末端がピックローラと紙分離ローラから離れると、第一伝動モジュールは予定時間内、ピックローラを時計回りに回転させ、同時に紙分離ローラが時計逆回りに回転し、それによって用紙が給送する時に帯同したその他用紙を回転し、ピックローラ外表面と紙分離ローラ外表面の相互に当たるエリアまで退出させる。
【０００６】
上述のとおり、本考案の給紙装置は、ピックローラ軸を方向制限器を設置せず、第一伝動モジュールがピックローラを時計回り、もしくは時計逆回りに回転させる。ピックローラが時計逆回りに回転して給送する前、先ずは予定時間、時計回りに回転し、用紙が給送時に帯同したその他用紙を回転し、ピックローラ外表面と紙分離ローラ外表面の相互に当たるエリアまで退出させ、それに拠って用紙の重送と用紙の破損を有効に防止する。
【考案の効果】
【０００７】
本考案の給紙装置は、用紙の重送と用紙の破損を防止するという利点がある。
【図面の簡単な説明】
【０００８】
【図１】公知の給紙装置の指示図である。
【図２】図１に示す公知の給紙装置が給送する時の指示図である。
【図３】公知の給紙装置の一枚目用紙が給送される時に、二枚目用紙がピックローラ外表面と紙分離ローラ外表面の相互に当接するエリアまで帯同する指示図である。
【図４】本考案の給紙装置一種実施例の指示図である。
【図５】図４に示す本考案の給紙装置が給送する時の指示図である。
【図６】図４に示す本考案の給紙装置の一枚目用紙が給送する時に、二枚目用紙がピックローラ外表面と紙分離ローラ外表面の相互に当接するエリアまで帯同する指示図である。
【図７】図６に示す本考案の給紙装置の一枚目用紙の後尾部が離れた後、第一伝動モジュールがピックローラを時計回りに回転させ、ピックローラが紙分離ローラを伴い時計逆回りに回転させ、それによって一枚目用紙が給送される時に帯同した二枚目用紙を回転してピックローラ外表面と紙分離ローラ外表面の相互に当たるエリアまで退ける指示図である。
【図８】本考案の給紙装置の第二実施例の指示図である。
【考案を実施するための形態】
【０００９】
本考案の技術内容、構造の特徴、達成する目的及び効果を詳細に説明するため、以下に実施例を挙げ、図式と共に詳細に説明する。
【００１０】
図４に示すとおり、本考案の給紙装置１００は、事務装置（図未提示）内に設置し、紙を給送するのに用いる２００は、第一伝動モジュール（図未提示）、ピックローラユニット１０と紙分離ローラユニット２０を含む。
【００１１】
図４に示すとおり、該事務装置はプリンタもしくはスキャナー等であり、該事務装置は主体部（図未提示）と主体部に枢設する上蓋（図未提示）を含む。該上蓋と主体部の間には給送通道（図未提示）を形成し、本考案の給紙装置１００はスキャンもしくはプリントアウトを待つ用紙２００をピックして給送通道に送るのに用いる。
【００１２】
図４と図５に示すとおり、該主体部の一側は、給送通道に連通した紙設置トレー３０を固定設置し、該スキャンもしくはプリントアウトを待つ用紙２００は紙設置トレー３０内に上下に重畳設置する。該ピックローラユニット１０は、ピックローラ軸１１と少なくとも一ピックローラ１２を含み、該ピックローラ軸１１は事務装置の主体部上に回転枢設する。該ピックローラ１２はピックローラ軸１１上に固定設置して主体部の上表面に突出する。紙設置トレー３０内にある最下端の用紙２００は一枚目用紙２０１と定義し、一枚目用紙２０１上表面にある一枚用紙は二枚目用紙２０２と定義する。該一枚目用紙２０１の給送端はピックローラ１２の表面に当たる。該ピックローラ軸１１と第一伝動モジュールは連接し、第一伝動モジュールはピックローラ軸１１を時計回り、もしくは時計逆回りに回転させる。
【００１３】
図４に示すとおり、該紙分離ローラユニット２０は事務装置の上蓋で回転枢設し、該紙分離ローラユニット２０は少なくとも一紙分離ローラ２１を含み、該紙分離ローラ２１は上蓋の下表面から突出する。該紙分離ローラ１の外表面とピックローラ１２はピックローラ１２の外表面で相対して当接する。そのうち、第一伝動モジュールがピックローラ軸１１とピックローラ１２を回転させた時に帯同した紙分離ローラ２１をピックローラ１２に対応して反対方向に回転させる。
【００１４】
図４及び図７に示すとおり、本考案の給紙装置１００の作業工程は以下のとおりである。ユーザーがスキャンもしくはプリントアウトの指令を送ると、第一伝動モジュールがピックローラ軸１１とピックローラ１２を動かして用紙２００を給送方向Ｆ（時計逆回り）へ回転させ、一枚目用紙２０１をピックして前に給送する。ピックローラ１２が回転し、紙分離ローラ２１は用紙２００が給送されると反対方向（時計回り）へ回転する。ピックローラ１２と紙分離ローラ２１が共同で一枚目用紙２０１と二枚目用紙２０２及びその他の用紙２００を分離し且つ一枚目用紙２０１を引き続き前に給送する。一枚目用紙２０１の末端がピックローラ１２と紙分離ローラ２１から離れると、第一伝動モジュールがピックローラ１２を時計回りに回転させ、ピックローラ１２が紙分離ローラ２１を予定時間、時計逆回りに回転させる。それによって一枚目用紙２０１が給送された時に帯同して来た二枚目用紙２０２及びその他用紙２００をピックローラ１２外表面と紙分離ローラ２１外表面が相互に当接するエリアまで回転して退ける。その後、第一伝動モジュールは再度ピックローラ１２を時計逆回りに回転して第二回目の紙ピックを行う。該紙分離ローラ２１は、ピックローラ１２と共に二回目の紙分離動作を行う。二枚目用紙２０２から始まり、その後毎回、ピックローラ１２が時計逆回りして紙分離する前に、先ず、予定時間、時計回りに回転し、前回の用紙２００が給送された時に帯同したその他用紙２００をピックローラ１２外表面と紙分離ローラ２１外表面が相互に当接するエリアまで回転して退け、それによって用紙の重送と用紙２００破損を有効に防止する。
【００１５】
図４と図８に示すのは、本考案の給紙装置１００の別の実施例である。該実施例において、給紙装置３００は更に第二伝動モジュールを含み（図未提示）、紙分離ローラユニット４００と連接する。第二伝動モジュールは紙分離ローラ４０を時計回り、もしくは時計逆回りに回転させ、それが即ち、給紙装置１００である。第一伝動モジュールがピックローラ５００を時計逆回りに回転した時、第二伝動モジュールが紙分離ローラ４０を時計回りに回転させる。第一伝動モジュールがピックローラ５００を時計回りに回転した時、第二伝動モジュールが紙分離ローラ４０を時計逆回りに回転させる。本実施例の給紙装置３００は給紙装置１００と同じ機能を備える。
【００１６】
上述のとおり、本考案の給紙装置１００は、ピックローラ軸１１に方向制限器を設置せず、第一伝動モジュールはピックローラ１２を時計回り、もしくは時計逆回りに回転することで、二枚目用紙２０２から始め、その後毎回ピックローラ１２が時計逆回りに回転して紙をピックする前、先ず予定時間、時計回りに回転し、前回の用紙２００が給送時に帯同したその他用紙２００をピックローラ１２外表面と紙分離ローラ２１外表面が相互に当接するエリアまで回転して退け、それによって用紙の重送と用紙２００破損を有効に防止する。
【符号の説明】
【００１７】
公知
１０’      ピックローラユニット
１００’      給紙装置
１１’      ピックローラ軸
１２’      ピックローラ
２０’      紙分離ローラユニット
２００’      帯同用紙
２１’      紙分離ローラ
２２’      紙分離エリア
本考案
１０        ピックローラユニット
１００        給紙装置
１１        ピックローラ軸
１２        ピックローラ
２０        紙分離ローラユニット
２００        用紙
２０１        一枚目用紙
２０２        二枚目用紙
２１        紙分離ローラ
３０        紙設置トレー
３００        給紙装置
４０        紙分離ローラ
４００        紙分離ローラユニット
５００        ピックローラ
【図１】
0003214519.tif 000003
【図２】
0003214519.tif 000004
【図３】
0003214519.tif 000005
【図４】
0003214519.tif 000006
【図５】
0003214519.tif 000007
【図６】
0003214519.tif 000008
【図７】
0003214519.tif 000009
【図８】
0003214519.tif 000010